(57)【要約】【課題】  誰もが簡単にワンタッチで携帯電話の着脱が出来て、且つ、安全性・耐久性・作業性・経済性の良い車両用携帯電話ハンズフリー通話装置を早期開発・提供する事にある。【解決手段】  電源用カーアダプターとマイクを付属し、且つ、スピーカーを内蔵又は分設した装置本体と、該本体の両端内側部及び両端上面部に軟質ゴム等の弾性部材を固着し、携帯電話装着時に各種携帯電話の電源・通信接続用雌端子側の外周形状とケース本体の内周形状が柔軟に適合し、振動等による端子結合部の離脱及び携帯電話の脱落防止を可能にし、且つ、該ケース本体下部に各種携帯電話の雌端子部に適合し、結線可能なハーネス付雄端子を設けた携帯電話装着用ケースから成り、且つ、携帯電話をワンタッチ操作で着脱可能にしたものである。【選択図】  図１
0003109612.tif 000002
【実用新案登録請求の範囲】
【請求項１】
車両等の運転席の近傍に携帯電話を装着し、運転しながら手放しで通話が可能なハンズフリー通話装置において、該ハンズフリー通話装置は、電源用カーアダプター（１ｃ）とマイク（１ｂ）を付属し、且つ、スピーカー（１ａ）を内蔵又は分設した装置本体（１）と、該本体の両端内側部及び両端上面部に軟質ゴム等の弾性部材（２ｂ）を固着し、携帯電話（ＣＴ）装着時に各種携帯電話（ＣＴ）の電源・通信接続用雌端子（ＣＴ’）側の外周形状とケース本体（２ａ）の内周形状が柔軟に適合し、振動等による端子結合部の離脱及び携帯電話（ＣＴ）の脱落防止を可能にし、且つ、該ケース本体（２ａ）下部に各種携帯電話（ＣＴ）の雌端子（ＣＴ’）部に適合し、結線可能なハーネス（３ｂ）付雄端子（３ａ）を設けた携帯電話（ＣＴ）装着用ケース（２）から成り、且つ、携帯電話をワンタッチ操作で着脱可能にした事を特徴とする車両用携帯電話ハンズフリー通話装置。
【請求項２】
ハンズフリー通話装置は、電源用カーアダプター（１ｃ）とマイク（１ｂ）を付属し、且つ、スピーカー（１ａ）を内蔵又は分設した装置本体（１）と、各種携帯電話（ＣＴ）の電源・通信接続用雌端子（ＣＴ’）側の外周形状とケース本体（２ａ）の内周形状が適合したケース本体（２ａ）下部に各種携帯電話（ＣＴ）の雌端子（ＣＴ’）部に適合し、結線可能なハーネス（３ｂ）付雄端子（３ａ）を設けた携帯電話（ＣＴ）装着用ケース（２）から成り、且つ、携帯電話をワンタッチ操作で着脱可能にした事を特徴とする請求項１記載の車両用携帯電話ハンズフリー通話装置。
【考案の詳細な説明】
【技術分野】
【０００１】
この考案は、車両等の運転席の近傍に携帯電話を装着し、運転しながら手放しで通話が可能な車両用携帯電話ハンズフリー通話装置に関するものである。
【背景技術】
【０００２】
従来、携帯電話は車両等の運転中に使用する事は非常に危険で、事故も多発しており、今年（平成１６年１１月）に成って道路交通法が改正され、運転中に携帯電話を使用すると罰せられる様に成った。しかし、現状は判っていても緊急時等、つい使用したくなるのが本音であって、最近では車両を運転しながら自動通話が可能な車両用携帯電話ハンズフリー通話装置が開発され、カーショップ等で市販されている。
【０００３】
ところが、この従来型ハンズフリー通話装置の欠点は携帯電話の装置本体への着脱所要時間が掛かり過ぎるという事で、現状は装置本体にスライドロック式ホルダーが設けられ、その部分に携帯電話を挟み込んでロック後、更に、携帯電話の下部に設けられた電源・通信用ハーネス接続端子を結合する必要があった。
【０００４】
又、これまでに出願されている車両用携帯電話ハンズフリー通話装置の特許文献を紹介する。（特許文献１参照。）
【特許文献１】特開２００１−０８６２１２
【考案の開示】
【考案が解決しようとする課題】
【０００５】
そこで、この考案は、上記問題を解決する為に、誰もが簡単にワンタッチで携帯電話の着脱が出来て、且つ、安全性・耐久性・作業性・経済性の良い車両用携帯電話ハンズフリー通話装置を早期開発・提供する事にある。
【課題を解決するための手段】
【０００６】
上記課題を達成する為に、この考案は、電源用カーアダプターとマイクを付属し、且つ、スピーカーを内蔵又は分設した装置本体と、該本体の両端内側部及び両端上面部に軟質ゴム等の弾性部材を固着し、携帯電話装着時に各種携帯電話の電源・通信接続用雌端子側の外周形状とケース本体の内周形状が柔軟に適合し、振動等による端子結合部の離脱及び携帯電話の脱落防止を可能にし、且つ、該ケース本体下部に各種携帯電話の雌端子部に適合し、結線可能なハーネス付雄端子を設けた携帯電話装着用ケースから成り、且つ、携帯電話をワンタッチ操作で着脱可能にしたものである。
【０００７】
又、ハンズフリー通話装置は、電源用カーアダプターとマイクを付属し、且つ、スピーカーを内蔵又は分設した装置本体と、各種携帯電話の電源・通信接続用雌端子側の外周形状とケース本体の内周形状が適合したケース本体下部に各種携帯電話の雌端子部に適合し、結線可能なハーネス付雄端子を設けた携帯電話装着用ケースから成り、且つ、携帯電話をワンタッチ操作で着脱可能にしたものである。
【考案の効果】
【０００８】
この考案の効果として、電源用カーアダプターとマイクを付属し、且つ、スピーカーを内蔵又は分設した装置本体と、該本体の両端内側部及び両端上面部に軟質ゴム等の弾性部材を固着し、携帯電話装着時に各種携帯電話の電源・通信接続用雌端子側の外周形状とケース本体の内周形状が柔軟に適合し、振動等による端子結合部の離脱及び携帯電話の脱落防止を可能にし、且つ、該ケース本体下部に各種携帯電話の雌端子部に適合し、結線可能なハーネス付雄端子を設けた携帯電話装着用ケースから成り、且つ、携帯電話をワンタッチ操作で着脱可能にする事でゆとりを持って安全に運転しながら相手と通話が出来る。
【０００９】
又、この考案のハンズフリー通話装置は充電しながら使用する事が可能な為、電池切れの心配が無く、安心して通話が出来る。
【００１０】
又、携帯電話装着用ケース部の構造が簡単であり、安全性・耐久性・経済性面で極めて有益なる効果を奏するものである。
【考案を実施するための最良の形態】
【００１１】
この考案の最良の形態として、各種携帯電話の形状寸法に適合した装着用ケースの内周形状を確保する必要があり、弾性部材の材質・形状寸法等の選定が重要となる。
【実施例１】
【００１２】
そこで、この考案の一実施例を図１〜図３に基づいて詳述すると、車両等の運転席の近傍に携帯電話を装着し、運転しながら手放しで通話が可能なハンズフリー通話装置において、該ハンズフリー通話装置は、電源用カーアダプター（１ｃ）とマイク（１ｂ）を付属し、且つ、スピーカー（１ａ）を内蔵又は分設した装置本体（１）と、該本体の両端内側部及び両端上面部に軟質ゴム等の弾性部材（２ｂ）を固着し、携帯電話（ＣＴ）装着時に各種携帯電話（ＣＴ）の電源・通信接続用雌端子（ＣＴ’）側の外周形状とケース本体（２ａ）の内周形状が柔軟に適合し、振動等による端子結合部の離脱及び携帯電話（ＣＴ）の脱落防止を可能にし、且つ、該ケース本体（２ａ）下部に各種携帯電話（ＣＴ）の雌端子（ＣＴ’）部に適合し、結線可能なハーネス（３ｂ）付雄端子（３ａ）を設けた携帯電話（ＣＴ）装着用ケース（２）から成り、且つ、携帯電話をワンタッチ操作で着脱可能にした事を特徴とする車両用携帯電話ハンズフリー通話装置から構成される。
【００１３】
又、ハンズフリー通話装置は、電源用カーアダプター（１ｃ）とマイク（１ｂ）を付属し、且つ、スピーカー（１ａ）を内蔵又は分設した装置本体（１）と、各種携帯電話（ＣＴ）の電源・通信接続用雌端子（ＣＴ’）側の外周形状とケース本体（２ａ）の内周形状が適合したケース本体（２ａ）下部に各種携帯電話（ＣＴ）の雌端子（ＣＴ’）部に適合し、結線可能なハーネス（３ｂ）付雄端子（３ａ）を設けた携帯電話（ＣＴ）装着用ケース（２）から成り、且つ、携帯電話をワンタッチ操作で着脱可能にした事を特徴とする車両用携帯電話ハンズフリー通話装置から構成される。
【００１４】
この考案の携帯電話ハンズフリー通話装置は、市販品のハンズフリー通話装置の携帯電話装着部をワンタッチ式に改良したもので、装置本体（１）の機能は、電話がかかってきた場合、自動着信機能を搭載しており、電話を自動的に受ける事が出来、又、電話が終わったら自動的に接続を停止する仕組みに成っている。
【００１５】
又、携帯電話装着用のケース本体（２）内部は各種携帯電話（ＣＴ）の電源・通信用雌端子接続部（ＣＴ’）の周辺形状に合わせたほぼ矩形状に形成され、且つ、ケースの左右両端内側部及び左右両端上面部に軟質ゴム等の弾性部材（２ｂ）を固着して、形状や寸法の相違に対応可能になっていて、振動等に対しても強く、脱落したり通電不良を起こしたりする事の無い耐震構造となっている。
【００１６】
又、ケース本体（２ａ）下部にはその都度電源・通信を接続する手間を省く為、携帯電話（ＣＴ）の電源・通信用雌端子（ＣＴ’）部に適合した雄端子（３ａ）を有するハーネス（３ｂ）付コネクター（３）を常設している。
【００１７】
次に、この装置の取り付け方法及び取り扱い方法について説明すると、図４に示す様に、まず、装置本体（１）の取り付け場所は車両の運転席近傍で運転に支障の無い場所を選定し、係止部材等を使用して確実に取り付ける。そして電源用カーアダプター（１ｃ）を車両のシガーライターソケット（Ｓ）部に嵌挿し、携帯電話（ＣＴ）をケース本体（２）内に挿着した後、ハーネスコネクター（３ｂ）部のスィッチボックス（３ｃ）のスィッチ（３ｃ’）をＯＮにして使用する。又、車両から降りる時は、ハーネスコネクター（３ｂ）部のスィッチボックス（３ｃ）のスィッチ（３ｃ’）をＯＦＦにして、携帯電話（ＣＴ）をケース本体（２）内から抜き取って下車する。
【００１８】
但し、上記（００１６）電源用スィッチボックスに関しては、特に近年の車にはキースターター部に電源切り替えスィッチが内蔵されていて、自動的に電源がＯＮ・ＯＦＦ出来るように成っている為、無くても構わない。
【実施例２】
【００１９】
又、この他の事例として図５に示す様に、音響効果を更に良くし、且つ、ハウリング防止を図る為、ハンズフリー通話装置のケース本体とスピーカーを分離して設ける事も可能である。
【００２０】
又、更にハンズフリー通話装置のコネクター部にテレビやオーディオやカーナビ等の映像・音声・マイク用の接続端子を設けてモニター（スピーカー付）やアンプ等の機器に接続する事で、好みに応じた楽しみ方も可能である。又、こうした通信機能を効率的に活用する事で必要最小限の機器で済む為ゴミが削減でき、且つ、安く音楽鑑賞出来る等経済的効果も期待出来る。
【産業上の利用可能性】
【００２１】
この考案の車両用携帯電話ハンズフリー通話装置は、携帯電話をワンタッチ操作で着脱可能にし、且つ、ケース部の構造を簡単にする事で安全性・耐久性・経済性を高め、安心して車を運転しながら通話が出来る等、携帯電話を使用する多くの市場に寄与する点で、産業上の利用可能性を有する。
【図面の簡単な説明】
【００２２】
【図１】この考案の一実施例を示し、正面図である。
【図２】この考案の一実施例を示し、右側面図である。
【図３】この考案の一実施例を示し、（Ａ）は図１のａ−ａ矢視断面図で、（Ｂ）は図１のｂ−ｂ矢視断面図ある。
【図４】この考案の使用例を示し、正面図である。
【図５】その他の使用例を示し、正面図である。
【符号の説明】
【００２３】
１  装置本体
１ａ  スピーカー
１ｂ  マイク
１ｃ  電源用カーアダプター
２  ケース
２ａ  ケース本体
２ｂ  弾性部材
３  コネクター
３ａ  雄端子
３ｂ  ハーネス
３ｃ  スィッチボックス
３ｃ’  スィッチ
ＣＴ  携帯電話
ＣＴ’  雌端子
Ｓ  シガーライターソケット
【図１】
0003109612.tif 000003
【図２】
0003109612.tif 000004
【図３】
0003109612.tif 000005
【図４】
0003109612.tif 000006
【図５】
0003109612.tif 000007